(57)【特許請求の範囲】
【請求項１】
基地局装置は、
上り回線のパイロットデータのＳＩＲ測定値に基づいて、前記上り回線のパイロットデータ受信直後の下り回線の送信電力制御データを決定して送信できるよう、下り回線のパイロットデータと送信電力制御データとを離して配置する一方、
移動局装置は、
前記下り回線の受信タイミングに対してオフセットを設けて上り回線の送信を行うとともに、
前記下り回線のパイロットデータのＳＩＲ測定値に基づいて、前記下り回線のパイロットデータ受信直後の上り回線の送信電力制御データを決定して送信できるよう、上り回線のパイロットデータと送信電力制御データを配置し、
上下回線とも、送信したパイロットデータに対する送信電力指示を受信し、受信した送信電力指示を前記送信したパイロットデータの次のスロットのパイロットデータに反映させ、１スロットの遅延で送信電力制御を実行可能に構成されたことを特徴とする無線通信システム。
【請求項２】
請求項１記載の無線通信システムに使用される移動局装置であって、
下り回線の受信タイミングに対してオフセットを設けて上り回線の送信を行う、ことを特徴とする移動局装置。
【請求項３】
請求項２記載の移動局装置であって、
下り回線の送信電力制御データを受信した後の最初のパイロットデータの先頭から、上り回線の出力パワを変更する、ことを特徴とする移動局装置。
【請求項４】
請求項１記載の無線通信システムに使用される基地局装置であって、
下り回線の送信電力制御データをパイロットデータと離して配置する、ことを特徴とする基地局装置。
【請求項５】
請求項４記載の基地局装置であって、
上り回線の送信電力制御データを受信した後の次のパイロットデータの先頭から、下り回線の出力パワを変更する、ことを特徴とする基地局装置。
【請求項６】
請求項４又は、請求項５記載の基地局装置であって、下り回線のパイロットデータと送信電力制御データとの間隔がいずれの伝送レートにおいても同一であるスロット構成でマルチレート伝送を行う、ことを特徴とする基地局装置。
【発明の詳細な説明】
【０００１】
【発明の属する技術分野】
本発明は、ＣＤＭＡ通信において送信電力制御を行う無線通信システム、移動局装置及び基地局装置に関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ：符号分割多元接続）方式は、自動車電話、携帯電話等を用いる無線通信システムにおいて、同一の周波数帯域で複数の局が同時に通信を行う際の多元アクセス方式技術の一つである。このＣＤＭＡ方式は、他の方式であるＦＤＭＡ（Ｆｒｅｑｕｅｎｃｙ  Ｄｉｖｉｓｉｏｎ  Ｍｕｌｔｉｐｌｅ  Ａｃｃｅｓｓ：周波数分割多元接続）方式、ＴＤＭＡ（Ｔｉｍｅ  Ｄｉｖｉｓｉｏｎ  Ｍｕｌｔｉｐｌｅ  Ａｃｃｅｓｓ：時分割多元接続）方式等と比較して高い周波数利用効率が図れ、より多くの利用者を収容できる方式である。
【０００３】
ＣＤＭＡ方式においては、本来の情報帯域幅に比べて十分に広い帯域に情報信号のスペクトルを拡散して伝送するスペクトル拡散通信によって多元接続を行う。ＣＤＭＡ方式においては、前記スペクトル拡散の方式がいくつかあり、その中で直接拡散方式は、拡散において拡散符号をそのまま情報信号に乗じる方式である。この場合、複数の移動局の信号は同一の周波数領域、かつ同一の時間領域において多重化される。
【０００４】
直接拡散を用いたＣＤＭＡ方式は、「遠近問題」という問題を有している。この「遠近問題」は、希望の送信局が遠方にあり、非希望の送信局（干渉局）が近くにある場合に、希望の送信局からの受信信号より、干渉局からの信号の方の受信電力が大きくなり、処理利得（拡散利得）だけでは拡散符号間の相互相関を抑圧できず、通信不能となることである。このため、直接拡散ＣＤＭＡ方式を用いたセルラシステムでは、移動局から基地局への上り回線において、各伝送路の状態に応じた送信電力制御が必須となっている。
【０００５】
また、陸上移動通信において回線品質劣化の原因であるフェージングへの対策として、送信電力を制御することによって受信電力の瞬時値変動の補償を行う方法が考えられている。
【０００６】
従来のスロット構成を用いて、クローズドループの送信電力制御処理の動作について説明する。図９は従来の送信電力制御を行う場合のスロット構成を時間的に示したものである。
【０００７】
パイロットデータ９０１、送信電力制御データ（ＴＰＣ）９０２、及び送信データ９０３がスロット単位で時間的に多重された信号として基地局から送信される。パイロットデータ９０１は情報パターンが固定の信号で、移動局において復調のための伝送路推定及びＳＩＲ（希望波信号対干渉波信号電力比）測定に使用され、送信電力制御データ９０２は送信電力制御のコマンドとして使用される。
【０００８】
移動局から基地局への方向の上り回線信号も基地局から移動局への方向の下り回線と同様にスロット周期の信号として送信され、送信電力制御遅延を最小にするために下り回線に対して１／２スロットのタイミングオフセット（ＴＳｈｉｆｔ）が付加されている。
【０００９】
まず、下り回線に行われる送信電力制御について説明する。基地局から送信された信号は、移動局において伝搬遅延分ＴＤｅｌａｙ（基地局からの移動局までの距離分）遅れて受信される。移動局においては、スロットの先頭部分のパイロットデータ９０４により受信ＳＩＲの測定を行う。そして、このＳＩＲ測定結果と予め与えられている基準ＳＩＲとの比較を行い、受信ＳＩＲが低かった場合は基地局の送信電力を上げるように指示する送信電力制御ビットを生成し、受信ＳＩＲが高かった場合は下げるように指示するコマンドとして送信電力制御ビットを生成する。この送信電力制御ビットは、上り回線の送信電力制御データ９０５として埋め込まれて送信される。
【００１０】
移動局から送信された信号は、基地局においてＴＤｅｌａｙ遅れて受信される。基地局においては、送信電力制御データ９０６を検出し、その結果から下り回線の送信電力値を決定し、次の下り回線スロット先頭の送信電力に反映させる。
【００１１】
次に、上り回線に行われる送信電力制御の動作について説明する。移動局から送信された信号は、基地局においてＴＤｅｌａｙ遅れて受信される。基地局においては、スロットの先頭部分のパイロットデータ９０７によりＳＩＲの測定を行い、移動局のときと同様に受信ＳＩＲと基準ＳＩＲと比較を行い、送信電力の上げ下げを指示するコマンドである送信電力制御ビットを生成し、下り回線の送信電力制御データ９０８に埋め込んで送信する。
【００１２】
基地局から送信された信号は、移動局においてＴＤｅｌａｙ遅れて受信される。移動局においては、送信電力制御データ９０９を検出し、その結果から上り回線の送信電力値を決定し、次の下り回線スロット先頭の送信電力に反映させる。
【００１３】
下りスロットに対し上りスロットが１／２スロットだけタイミングオフセットされているため、下り、上りとも１タイムスロット制御遅延（１スロット前の結果が反映される）で送信電力制御が行われている。
【００１４】
次に、伝送レートが低くなった場合について図１０を用いて説明する。伝送レートが低くなると、１ビット（あるいはシンボル）の絶対時間が長くなるため、スロット長に対するパイロットデータ長及び送信電力制御ビット長の割合が大きくなる。
【００１５】
このときも上記と同様に、基地局から送信された信号は、移動局において伝搬遅延分ＴＤｅｌａｙ（基地局からの移動局までの距離分）遅れて受信され、移動局においては、スロットの先頭部分のパイロットデータ１００４により受信ＳＩＲの測定を行う。このＳＩＲ測定結果と基準ＳＩＲとの比較を行い、その結果を上り回線の送信電力制御データ１００５として埋め込んで送信する。
【００１６】
【発明が解決しようとする課題】
しかしながら、従来の装置においては、低レート伝送になると、スロット長に対するパイロットデータ長、送信電力制御ビット長の割合が大きくなり、クローズドループによる送信電力制御遅延が大きくなることがある。送信電力制御遅延が大きくなると、送信電力制御が次のスロットに反映されなくなり、通信環境の変化に追従した適切な送信電力制御を行なうことができなくなる。
【００１７】
また、制御遅延を最小にするためには、送信電力制御に用いられるＳＩＲの測定の時間を短くすることにつながり、十分な測定精度が得られないという問題がある。
【００１８】
本発明はかかる点に鑑みてなされたものであり、クローズドループ送信電力制御の制御遅延を最小限に抑えることができる無線通信システム、移動局装置及び基地局装置を提供することを目的とする。
【００１９】
【課題を解決するための手段】
上記課題を解決するために，本発明は以下の手段を講じた。
基地局装置は、
上り回線のパイロットデータのＳＩＲ測定値に基づいて、前記上り回線のパイロットデータ受信直後の下り回線の送信電力制御データを決定して送信できるよう、下り回線のパイロットデータと送信電力制御データとを離して配置する一方、
移動局装置は、
前記下り回線の受信タイミングに対してオフセットを設けて上り回線の送信を行うとともに、
前記下り回線のパイロットデータのＳＩＲ測定値に基づいて、前記下り回線のパイロットデータ受信直後の上り回線の送信電力制御データを決定して送信できるよう、上り回線のパイロットデータと送信電力制御データを配置し、
上下回線とも、送信したパイロットデータに対する送信電力指示を受信し、受信した送信電力指示を前記送信したパイロットデータの次のスロットのパイロットデータに反映させ、１スロットの遅延で送信電力制御を実行可能に構成される。
【００２０】
この構成によれば、パイロットデータ及び送信電力制御データの配置、上り回線と下り回線とのスロット位置関係、を適切に設定することにより、クローズドループ送信電力制御の制御遅延を最小限に抑え、かつ、受信品質の測定時間を短くすることによる測定精度の劣化を抑制することができる。また、この構成によれば、パイロットデータ及び送信電力制御データの配置、並びに上り回線と下り回線とのスロット位置関係の配置を、処理遅延及び伝搬遅延とから適切に決定することができるので、制御遅延を確実に最小限にすることができる。更に、マルチレート伝送においても、送信電力制御遅延を最小限に抑えることができる。
【００２１】
【発明の実施の形態】
本発明者は、データのスロット構成に着目し、スロット構成の配置を適宜変えることにより、パイロットデータ長や送信電力制御データ長が比較的長い場合に、送信電力制御が次スロットに間に合わなくなることを防止できることを見出し本発明をするに至った。この場合、スロット構成の配置は、基地局から移動局までの伝搬遅延、受信品質を測定するパイロットデータ長、移動局がパイロットデータの最後を受け終わってから受信品質を測定して送信電力制御データを埋め込むまでの処理時間、移動局から基地局までの伝搬遅延、送信電力制御データ長、基地局が送信電力制御データを受け終わってから送信電力制御データを検出してパワーを変えるまでの処理時間等を含む制御遅延として考えられる時間を考慮して行なう。
【００２２】
以下、本発明の実施の形態について、添付図面を参照して詳細に説明する。
（実施の形態１）
図１は、本発明の実施の形態１に係る無線通信装置の構成を示すブロック図である。この無線通信装置は、基地局側装置及び移動局側装置から構成される。
【００２３】
基地局側装置では、移動局への送信データは符号器１０２に入力され、伝送路符号化等が行われ、その結果がフレーム構成部１０４に出力される。また、パイロット信号発生器１０１はデータパターンが固定であるパイロット信号を発生し、フレーム構成部１０４に出力する。
【００２４】
フレーム構成部１０４では、符号器１０２の出力、パイロット信号発生器１０１からのパイロット信号、及び送信電力制御ビット生成部１０３の出力である送信電力制御ビットの配置を決定し、そのようにフレーム構成を行い、拡散器１０５に出力する。この配置は、送信電力制御に必要とされる処理遅延及び伝搬遅延とを考慮して決定される。また、フレーム構成部１０４では、スロットオフセットを設ける、すなわちスロットを所定時間タイミングだけずらす。
【００２５】
拡散器１０５では拡散処理が行われ、拡散された信号が送信信号振幅制御部１０６に出力される。送信信号振幅制御部１０６では入力信号に対し、振幅を制御して加算器１０７に出力する。加算器１０７では送信信号振幅制御部１０６の出力と他の移動局用の送信部からの信号とを加算して送信ＲＦ部１０８に出力する。送信ＲＦ部１０８では入力に対して変調、周波数変換を行い、アンテナ１０９より送信する。
【００２６】
アンテナ１０９より受信された移動局からの受信信号は、受信ＲＦ部１１０において周波数変換、復調が行われ、相関器１１１及び他の移動局用受信処理部に出力される。相関器１１１では、移動局送信に用いられた拡散コードで逆拡散を行って希望波信号を分離し、復号器１１２及び受信ＳＩＲ測定器１１３に出力する。復号器１１２では入力に対して復号を行い、受信データを得る。受信ＳＩＲ測定器１１３は、受信信号から受信ＳＩＲを測定し、送信電力制御ビット生成部１０３に出力する。
【００２７】
送信電力制御ビット生成部１０３では、入力した受信ＳＩＲと基準ＳＩＲと比較し、送信電力制御データを生成する。復号器１１２で検出された送信電力制御データは送信電力制御部１１４に出力され、そこで送信電力値が決定される。この送信電力値は、送信信号振幅制御部１０６及び送信ＲＦ部１０８に送られ、この送信電力値に従って送信電力が制御される。
【００２８】
移動局側装置は、他の移動局の信号を多重、分配する部分、多重することにより送信信号の振幅を制御する送信信号振幅制御部１０６を除いては、基地局側装置と同じ構造である。すなわち、パイロット信号発生器１０１〜拡散器１０５及び加算器１０７〜アンテナ１０９と、アンテナ１１５〜送信電力制御部１２６とはそれぞれ対応する部分であり、同様の動作を行う。
【００２９】
次に、上記構成を有する無線通信装置において行われる低レート伝送に用いられるスロット構成の一例について、図２を用いて説明する。下り回線のスロット構成については通常のものと同様であるが、上り回線のスロット構成についてはパイロットデータと送信電力制御データとをスロット内で離して配置している点と、下りに対する上りのスロットオフセットが通常のものと異なる。
【００３０】
まず、下り回線に行われる送信電力制御について説明する。基地局から送信された信号（パイロットデータ２０１、送信電力制御データ２０２、及びデータ２０３で構成された信号）は、移動局において伝搬遅延分ＴＤｅｌａｙ（基地局からの移動局までの距離分）遅れて受信される。
【００３１】
移動局においては、スロットの先頭部分のパイロットデータ２０４により受信ＳＩＲの測定を行う。このＳＩＲ測定結果と基準ＳＩＲとの比較を行い、受信ＳＩＲが低かった場合は基地局の送信電力を上げるように指示するコマンドとして送信電力制御ビットを生成し、受信ＳＩＲが高かった場合は下げるように指示するコマンドとして送信電力制御ビットを生成する。この送信電力制御ビットを上り回線の送信電力制御データ２０５として埋め込んで送信する。
【００３２】
このとき、スロット内のデータの配置を遅延を考慮して決定する。具体的には、パイロットデータ２０４と送信電力制御データ２０５とを離すような、すなわちパイロットデータと送信電力制御データとの間にデータを挟む配置にする。また、スロットをＴＳｈｉｆｔだけシフトさせる。これにより、ＳＩＲ測定により得られた送信電力制御ビットを遅延することなく上り回線の送信電力制御データ２０５に含めることができる。したがって、上り回線の送信電力制御データを遅延することなくスロットに反映させることができる。
【００３３】
移動局から送信された信号は、基地局においてＴＤｅｌａｙ遅れて受信される。基地局においては、送信電力制御データ２０６を検出し、その結果から下り回線の送信電力値を決定し、次の下り回線スロット先頭の送信電力に反映させる。
【００３４】
次に、上り回線に行われる送信電力制御の動作について説明する。移動局から送信された信号は、基地局においてＴＤｅｌａｙ遅れて受信される。基地局においては、スロットの先頭部分のパイロットデータ２０７によりＳＩＲの測定を行い、移動局のときと同様に受信ＳＩＲと基準ＳＩＲと比較を行い、送信電力の上げ下げを指示するコマンドである送信電力制御ビットを生成し、下り回線の送信電力制御データ２０８に埋め込んで送信する。この場合、移動局から送信されるスロットは、パイロットデータと送信電力制御データとが離れた構成を有するので、パイロットデータ２０７のＳＩＲ測定結果に基づく送信電力制御ビットを次スロットの送信電力制御データ２０８に含ませることができる。したがって、下り回線の送信電力制御データを遅延することなくスロットに反映させることができる。
【００３５】
基地局から送信された信号は、移動局においてＴＤｅｌａｙ遅れて受信される。移動局においては、送信電力制御データ２０９を検出し、その結果から上り回線の送信電力値を決定し、次の上り回線スロット先頭の送信電力に反映させる。
【００３６】
このように、本実施の形態の無線通信装置によれば、低レート伝送においても、上り回線のパイロットデータと送信電力制御データとを離して配置し、上下回線のスロットオフセットを適切に設けることにより、ＳＩＲの測定時間を短くすることなく、上下回線ともクローズドループ送信電力制御の制御遅延を１タイムスロットで実現できる。
【００３７】
（実施の形態２）
図３は、本発明の実施の形態２に係る無線通信装置において送受信する信号のスロット構成を示す図である。本実施の形態においては、上り回線のスロット構成は通常のものと同様であるが、下り回線のスロット構成はパイロットデータと送信電力制御データとをスロット内で離して配置している点及び下りに対する上りのスロットオフセットが前記実施の形態１のものと異なる。これも実施の形態１と同様の方法により送信電力制御を行う。
【００３８】
すなわち、基地局において、スロット内のデータの配置を遅延を考慮して決定する。具体的には、パイロットデータ３０１と送信電力制御データ３０２とを離すような、すなわちパイロットデータ３０１と送信電力制御データ３０２との間にデータ３０３を挟む配置にする。
【００３９】
この場合、移動局では、受信したパイロットデータ３０４を用いてＳＩＲ測定を行ない、その結果を送信電力制御データ３０５に含ませる。さらに、スロットをＴＳｈｉｆｔだけシフトさせる。これにより、送信電力制御データ３０８の送信電力制御値にしたがって次スロットの送信電力制御を遅延なく行なうことができる。その結果、上り回線の送信電力制御データを遅延することなくスロットに反映させることができる。
【００４０】
一方、基地局においては、スロットの先頭部分のパイロットデータ３０７によりＳＩＲの測定を行い、その結果に基づいて送信電力制御ビットを生成し、下り回線の送信電力制御データ３０２に埋め込んで送信する。この場合、移動局に送信されるスロットは、パイロットデータと送信電力制御データとが離れた構成を有するので、パイロットデータ３０７のＳＩＲ測定結果に基づく送信電力制御ビットを次スロットの送信電力制御データ３０２に含ませることができる。したがって、上り回線の送信電力制御データを遅延することなく次スロットに反映させることができる。
【００４１】
また、基地局においては、送信電力制御データ３０６を検出し、その結果から下り回線の送信電力値を決定し、次の下り回線スロット先頭の送信電力に反映させる。
【００４２】
このように、本実施の形態の無線通信装置によれば、低レート伝送においても、下り回線のパイロットデータと送信電力制御データとを離して配置し、上下回線のスロットオフセットを適切に設けることにより、ＳＩＲの測定時間を短くすることなく、上下回線ともクローズドループ送信電力制御の制御遅延を１タイムスロットで実現できる。
【００４３】
（実施の形態３）
図４は、本発明の実施の形態３に係る無線通信装置において送受信する信号のスロット構成を示す図である。本実施の形態においては、上り回線、下り回線ともパイロットデータと送信電力制御データとをスロット内で離して配置し、上り下りのスロットオフセットを適切に設けている。これも実施の形態１と同様の方法により送信電力制御を行う。
【００４４】
すなわち、基地局及び移動局において、スロット内のデータの配置を遅延を考慮して決定する。具体的には、パイロットデータ４０１と送信電力制御データ４０２とを離すような、すなわちパイロットデータ４０１と送信電力制御データ４０２との間にデータ４０３を挟む配置にする。
【００４５】
この場合、移動局では、受信したパイロットデータ４０４を用いてＳＩＲ測定を行ない、その結果を送信電力制御データ４０５に含ませる。さらに、スロットをＴＳｈｉｆｔだけシフトさせる。これにより、送信電力制御データ４０６の送信電力制御値にしたがって次スロットの送信電力制御を遅延なく行なうことができる。その結果、上り回線の送信電力制御データを遅延することなくスロットに反映させることができる。
【００４６】
基地局においては、スロットの先頭部分のパイロットデータ４０７によりＳＩＲの測定を行い、その結果に基づいて送信電力制御ビットを生成し、下り回線の送信電力制御データ４０８に埋め込んで送信する。この場合、移動局に送信されるスロットは、パイロットデータと送信電力制御データとが離れた構成を有するので、パイロットデータ４０７のＳＩＲ測定結果に基づく送信電力制御データ４０９の送信電力制御ビットを次の上りスロットの先頭に反映させることができる。
【００４７】
このように、本実施の形態の無線通信装置によれば、低レート伝送においても、上下回線のパイロットデータと送信電力制御データとを離して配置し、上下回線のスロットオフセットを適切に設けることにより、ＳＩＲの測定時間を短くすることなく、上下回線ともクローズドループ送信電力制御の制御遅延を１タイムスロットで実現できる。
【００４８】
（実施の形態４）
図５は、本発明の実施の形態４に係る無線通信装置において送受信する信号のスロット構成を示す図である。これは、上り回線のＩｃｈにデータ５０１を割り当て、Ｑｃｈにパイロットデータ５０２、送信電力制御データ５０３、及びレート情報５０４などの制御情報を割り当てたスロット構成である。この場合、Ｑｃｈのみに制御情報が構成されるため、伝送レートによらずパイロットデータの割合が大きくなる。この場合も実施の形態２と同様に、下り回線のパイロットデータと送信電力制御データとを離して配置し、上下回線のスロットオフセットを適切に設け、実施の形態１と同様の動作により送信電力制御を行う。
【００４９】
このように、本実施の形態の送受信装置によれば、スロット中におけるパイロットデータ、送信電力制御データの割合が大きくなるチャネル構成の場合においても、すなわちＩ／Ｑ多重のデータの送受信においても、パイロットデータと送信電力制御データとを離して配置し、上下回線のスロットオフセットを適切に設けることにより、ＳＩＲの測定時間を短くすることなく、上下回線ともクローズドループ送信電力制御の制御遅延を最小にすることができる。
【００５０】
（実施の形態５）
図６は、本発明の実施の形態５に係る無線通信装置において送受信する信号のスロット構成を示す図である。
【００５１】
マルチレート伝送において、異なるレートのスロット構成を考えた場合、パイロットデータ６０１及び送信電力制御データ６０２の絶対時間が異なる。したがって、スロットに対するパイロットデータ及び送信電力制御データの割合がそれぞれの伝送レートに応じて異なる。
【００５２】
この場合、想定している伝送レートの中で最も低い伝送レートのものに、他の伝送レートのスロット構成のパイロットデータや送信電力制御データの位置を一致させた配置でスロットを構成する。すなわち、図６に示すように、パイロットデータ６０１と送信電力制御データとの間の長さ（データ長）が異なる伝送レートにおいてすべて同じであるようにスロットを構成する。このとき、想定したすべての伝送レートのものに対して、上記実施の形態と同様の処理を行なうことにより、上記実施の形態と同様にして送信電力制御を行うことができる。
【００５３】
このように、本実施の形態の送受信装置によれば、異なった伝送レート間においても、上下回線のスロットオフセットを一定にしたまま、ＳＩＲの測定時間を短くすることなく、上下回線ともクローズドループ送信電力制御の制御遅延を最小にすることができる。
【００５４】
なお、本実施の形態においては、パイロットデータ６０１と送信電力制御データとの間の長さ（データ長）が異なる伝送レートにおいてすべて同じであるようにスロットを構成する場合について説明しているが、最も低い伝送レートのパイロットデータ長幅及び送信電力制御データ長幅内に、他の伝送レートのパイロットデータ及び送信電力制御データが位置すれるようにデータ配置を決定すれば、本実施の形態の効果は発揮される。
【００５５】
ここで、上記実施の形態１〜５におけるスロット構成のパイロットデータ、送信電力制御データのデータ配置について説明する。図７は下り回線の送信電力制御の処理に必要の時間を表した図である。
【００５６】
図７において、制御遅延として考えられる時間は、基地局から移動局までの伝搬遅延をＴＤｅｌａｙ７０２とし、ＳＩＲを測定するパイロットデータ長をＴＰＬＭＳ７０３とし、移動局がパイロットデータの最後を受け終わってからＳＩＲを測定して送信電力制御データを埋め込むまでの処理時間をＴＭＳ１７０４とし、移動局から基地局までの伝搬遅延をＴＤｅｌａｙ７０５とし、送信電力制御データ長をＴＴＰＣＢＳ７０６とし、基地局が送信電力制御データを受け終わってから送信電力制御データを検出してパワーを変えるまでの処理時間をＴＢＳ１７０７とすると、以下の式で表わすことができる。
【００５７】
送信電力制御遅延時間（下り回線）＝ＴＤｅｌａｙ＋ＴＰＬＭＳ＋ＴＭＳ１＋ＴＤｅｌａｙ＋ＴＴＰＣＢＳ＋ＴＢＳ１
また、図８に上り回線の送信電力制御の処理に必要とされる処理時間を示す。図８において、制御遅延として考えられる時間は、移動局から基地局までの伝搬遅延をＴＤｅｌａｙ８０２とし、ＳＩＲを測定するパイロットデータ長をＴＰＬＢＳ８０３とし、基地局がパイロットデータの最後を受け終わってからＳＩＲを測定して送信電力制御データを埋め込むまでの処理時間をＴＢＳ２８０４とし、基地局から移動局までの伝搬遅延をＴＤｅｌａｙ８０５とし、送信電力制御データ長をＴＴＰＣＭＳ８０６とし、移動局が送信電力制御データを受け終わってから送信電力制御データを検出してパワーを変えるまでの処理時間をＴＭＳ２８０７とすると、以下の式で表わすことができる。
【００５８】
送信電力制御遅延時間（上り回線）＝ＴＤｅｌａｙ＋ＴＰＬＢＳ＋ＴＢＳ２＋ＴＤｅｌａｙ＋ＴＴＰＣＭＳ＋ＴＭＳ２
ただし、パイロットデータ長はＳＩＲを測定するデータ長であり、パイロットデータ以外のデータも使ってＳＩＲを測定する場合は、その長さを含んだ値となる。
【００５９】
したがって、上記実施の形態１〜５におけるスロット構成の配置は、これらの処理時間を考慮して行なう。したがって、上記式からパイロットデータと送信電力制御データとの配置可能な位置及び上下回線のスロットオフセット値が決定される。
【００６０】
このように本実施の形態のスロット構成方法によれば、クローズドループ送信電力制御の制御遅延を最小にした最適なスロット構成を割り当てることが可能となる。
【００６１】
上記実施の形態１〜５に示すスロット構成を有するデータの送受信は、無線通信システムにおける無線通信装置間、例えば基地局装置と移動局装置との間で好適に使用される。
【００６２】
上記実施の形態１〜５においては、受信品質としてＳＩＲを用いた場合について説明しているが、本発明は、受信品質として他のパラメータを用いても同様に適用することができる。
【００６３】
【発明の効果】
以上説明したように、本発明の通信基地局装置及び通信端末装置は、クローズドループ型の送信電力制御を行う送受信装置において、パイロットデータ及び送信電力制御データとを離間させてそれぞれ独立に配置することにより、また、上り回線と下り回線とのスロット位置関係にオフセットを持たせてスロットを配置することにより、クローズドループ送信電力制御の制御遅延を最小限に抑え、かつ、ＳＩＲの測定時間を短くすることによる測定精度の劣化を回避することができる。また、マルチレート伝送においても、送信電力制御遅延を最小限に抑えることができる。
【図面の簡単な説明】
【図１】本発明の実施の形態１に係る無線通信装置の構成を示すブロック図
【図２】本発明の実施の形態１に係る無線通信装置において送受信する信号のスロット構成を示す図
【図３】本発明の実施の形態２に係る無線通信装置において送受信する信号のスロット構成を示す図
【図４】本発明の実施の形態３に係る無線通信装置において送受信する信号のスロット構成を示す図
【図５】本発明の実施の形態４に係る無線通信装置において送受信する信号のスロット構成を示す図
【図６】本発明の実施の形態５に係る無線通信装置において送受信する信号のスロット構成を示す図
【図７】本発明の実施の形態において、下り回線の送信電力制御の処理に必要の時間を表した図
【図８】本発明の実施の形態において、上り回線の送信電力制御の処理に必要の時間を表した図
【図９】従来の無線通信装置において高伝送レートで送受信する信号のスロット構成を示す図
【図１０】従来の無線通信装置において低伝送レートで送受信する信号のスロット構成を示す図
【符号の説明】
１０１，１１９  パイロット信号発生器
１０３，１２１  送信電力制御ビット生成部
１０４，１１８  フレーム構成部
１０６  送信信号振幅制御部
１１３，１２２  受信ＳＩＲ測定器
１１４，１２６  送信電力制御部
２０１，２０４，２０７  パイロットデータ
２０２，２０５，２０６，２０８，２０９  送信電力制御データ
２０３  データ
【図１】
0003561493.tif 000002
【図２】
0003561493.tif 000003
【図３】
0003561493.tif 000004
【図４】
0003561493.tif 000005
【図５】
0003561493.tif 000006
【図６】
0003561493.tif 000007
【図７】
0003561493.tif 000008
【図８】
0003561493.tif 000009
【図９】
0003561493.tif 000010
【図１０】
0003561493.tif 000011